(57)【要約】【課題】遮光板の水平を維持しながら、使用者が遮光板の下端を手で引き下げまたは押し上げすることにより小さな力で容易に展開または収納の動作を行うことのできる、引き紐が不要の遮光装置を提供する。【解決手段】遮光板と、前記遮光板を上下方向に展開または収納駆動させる駆動紐と、前記遮光板を垂下する上フレームと、前記上フレームに水平に架設され前記駆動紐を巻きつける巻き軸と、前記巻き軸と連接する一つまたは複数の弾力装置と、前記遮光板を展開した状態で前記弾力装置を介して前記巻き軸に巻き取り方向の回転力を与えるねじり弾性体とを有する遮光装置。【選択図】  図１
2006198298.tif 000002
【特許請求の範囲】
【請求項１】
展開式の遮光板と、
前記遮光板を上下方向に展開または収納駆動させる駆動紐と、
前記遮光板を垂下する上フレームと、
前記上フレームに水平に架設され前記駆動紐を巻きつける巻き軸と、
前記巻き軸と連接する一つまたは複数の弾力装置と、
前記遮光板を展開した状態で前記弾力装置を介して前記巻き軸に巻き取り方向の回転力を付勢するねじり弾性体と、
を有する遮光装置。
【請求項２】
前記遮光装置がローマンシェード、プリーツスクリーン、または横型ブラインドである請求項１記載の遮光装置。
【請求項３】
展開式の遮光板と、
前記遮光板に所定の間隔をもって略水平に保持される複数の横桿と、
前記横桿の両側にてそれぞれ鉛直方向に一列となるよう設けられた環状の耳部と、
前記耳部を通過し前記遮光板を上下方向に展開または収納駆動させる駆動紐と、
前記遮光板を垂下する上フレームと、
前記上フレームに水平に架設される巻き軸と、
前記巻き軸を軸通し前記駆動紐を巻きつける巻きローラと、
前記巻き軸と連接する一つまたは複数の弾力装置と、
前記遮光板を展開した状態で前記弾力装置を介して前記巻き軸に巻き取り方向の回転力を付勢するねじり弾性体と、
を有するローマンシェード。
【請求項４】
前記弾力装置が、
前記巻き軸を嵌挿して該巻き軸とともに回転する第一のベベルギアと、
前記ねじり弾性体と連接して該ねじり弾性体のねじり方向に回転し、前記第一のベベルギアと噛み合う第二のベベルギアと
を備える請求項１から３のいずれか１項記載の遮光装置。
【請求項５】
前記ねじり弾性体が渦巻き発条またはねじりバネである請求項１から４のいずれか１項記載の遮光装置。
【発明の詳細な説明】
【技術分野】
【０００１】
本発明は遮光装置に関し、特に引き紐を不要とし、かつ任意の高さで開閉状態を保持することのできる遮光装置に関する。
【背景技術】
【０００２】
従来のローマンシェードは引き紐によって日除け布を伸縮させる操作を行うことが一般的であるが、ループ状の引き紐は切れたり絡まったりするという問題点があった。
【０００３】
また暗所での操作性の観点からも、引き紐を操作することなく任意の高さまで日除け布を展開した状態でローマンシェードを保持できる発明が望まれていた。またかかる要望はローマンシェードに限らずプリーツスクリーンや横型ブラインドなどの遮光装置全般について共通である。
【０００４】
これに対し、先行文献１(特許文献１：特開平８−１０９７７６号公報)には渦巻状の帯状金属板の弾力を付勢することで、摩擦力とあいまって任意の高さでスクリーンを保持できる日除け装置が記載されている。かかる発明によれば引き紐を不要とする、窓の遮光スクリーンが提供される。
【特許文献１】特開平８−１０９７７６号公報
【発明の開示】
【発明が解決しようとする課題】
【０００５】
しかし上記先行文献１記載の発明は、剛性の高いバーとレールで形成されるスクリーンの昇降動作を引き紐不要とするものであって、柔軟構造物であるローマンシェードやプリーツスクリーンなどの日除け布の昇降に直接適用することはできない。柔軟な日除け布の水平を保ったまま展開または収納の動作を行うことは、単純にワイヤで吊下げる方式の上記先行文献１記載の発明では困難だからである。
【０００６】
そこで本発明では、特にローマンシェードのように柔軟な日除け布を折り畳む方式の展開または収納方式を採る遮光装置について、日除け布の水平を維持しながら、使用者が日除け布の下端を手で引き下げまたは押し上げすることにより小さな力で容易に展開または収納の動作を行うことのできる、引き紐が不要の遮光装置を提供することを目的とする。
【課題を解決するための手段】
【０００７】
上記課題を解決するため本発明者は鋭意検討の末、遮光板を垂下する上フレームに巻き軸を水平に架設し、これを回動させて遮光板を昇降させる駆動紐を巻き取ることにより、遮光板が柔軟な布材の場合であっても水平を維持することができる。また、ねじり弾性体の弾力を巻き軸に付勢することで遮光板の自重をキャンセルし、任意の高さで遮光板の展開状態を保持することができるとの知見とあわせ、もって本発明の完成に到った。
【０００８】
すなわち以下の発明によれば、上記の各課題を解決することが可能である。
（１）展開式の遮光板と、
前記遮光板を上下方向に展開または収納駆動させる駆動紐と、
前記遮光板を垂下する上フレームと、
前記上フレームに水平に架設され前記駆動紐を巻きつける巻き軸と、
前記巻き軸と連接する一つまたは複数の弾力装置と、
前記遮光板を展開した状態で前記弾力装置を介して前記巻き軸に巻き取り方向の回転力を付勢するねじり弾性体と、
を有する遮光装置。
【０００９】
また本発明は、その具体的な実施の態様として以下の各関連発明を含むものである。
（２）前記遮光装置がローマンシェード、プリーツスクリーン、または横型ブラインドである前記（１）記載の遮光装置。
（３）展開式の遮光板と、
前記遮光板に所定の間隔をもって略水平に保持される複数の横桿と、
前記横桿の両側にてそれぞれ鉛直方向に一列となるよう設けられた環状の耳部と、
前記耳部を通過し前記遮光板を上下方向に展開または収納駆動させる駆動紐と、
前記遮光板を垂下する上フレームと、
前記上フレームに水平に架設される巻き軸と、
前記巻き軸を軸通し前記駆動紐を巻きつける巻きローラと、
前記巻き軸と連接する一つまたは複数の弾力装置と、
前記遮光板を展開した状態で前記弾力装置を介して前記巻き軸に巻き取り方向の回転力を付勢するねじり弾性体と、
を有するローマンシェード。
（４）前記弾力装置が、
前記巻き軸を嵌挿して該巻き軸とともに回転する第一のベベルギアと、
前記ねじり弾性体と連接して該ねじり弾性体のねじり方向に回転し、前記第一のベベルギアと噛み合う第二のベベルギアと
を備える前記（１）から（３）のいずれか１項記載の遮光装置。
（５）前記ねじり弾性体が渦巻き発条またはねじりバネである前記（１）から（４）のいずれか１項記載の遮光装置。
【発明の効果】
【００１０】
本発明にかかる遮光装置によれば、ねじり弾性体の弾力を利用して遮光板の自重をキャンセルするため、引き紐を使用せずとも軽い操作によって展開または収納の動作が可能となり、装置としての操作性や耐久性に優れる。また巻き軸が水平を保ったまま遮光板を巻き上げる方式であることからローマンシェードやプリーツスクリーンなどの布材からなる遮光板についても好適に巻き上げを行うことができる。
【発明を実施するための最良の形態】
【００１１】
以下、本発明の実施の形態について図面を用いて具体的に説明する。ただし本発明は以下の実施の形態に限られるものではない。図１は本発明の実施の形態にかかる遮光装置の斜視図である。本発明にかかる遮光装置は遮光板２０と、駆動紐２３と、上フレーム１１と、巻き軸１３と、弾力装置３０とを備える。
【００１２】
本発明の対象とする遮光装置はいずれか一つに限定されるものではなく、一般的に引き紐によって昇降動作する遮光板を有する装置であればよい。具体的にはローマンシェード、プリーツスクリーン、横型(縦開き型)ブラインドなどが対象となる。図１はこの例示としてローマンシェードを表わすものである。
【００１３】
遮光板２０は、ローマンシェードやプリーツスクリーンの場合は一連の布材、横型ブラインドの場合はプラスチックまたは金属などからなる複数の薄片で構成される。本実施の形態では一連の日除け布であるとする。
【００１４】
駆動紐２３は、遮光板２０を昇降駆動するものである。本発明は引き紐が切れたり絡まったりすることを防ぎ耐久性を向上するものであるため、駆動紐２３は遮光板２０の内部を貫通させるか、または裏面に貼り付けることが好適である。
【００１５】
上ケース１０は、上フレーム１１、巻き軸１３、弾力装置３０などを備える。上フレーム１１は、遮光板２０の上端と連接してこれを垂下させ、また遮光装置を窓枠などに設置するための部材である。形状は特に限定されないが、上側に開断面を有するＵ字断面の枠が一般的である。
【００１６】
巻き軸１３は上フレーム１１に架設され、回動自在に軸支される軸である。架設する方式は限定されないが、図示したように上フレーム１１の両端に軸座１２を設けることが一般的である。また巻き軸１３の断面形状も特に限定されないが、後述する弾力装置３０と嵌合して連動する必要があることから多角柱とするか、または円柱と留めネジやピンの組み合わせによることが好適である。本実施の形態では六角形断面とする。遮光板２０が昇降動作する際には、巻き軸１３は駆動紐２３を直接巻きつけるか、または図示したように巻きローラ１４を軸装してこれに駆動紐２３を巻きつける。
【００１７】
ローマンシェードの場合、遮光板２０は日除け布であり、所定の間隔をもって略水平に複数の横桿２１を配してもよい。横桿２１は日除け布の昇降のためのハードポイントであり、それぞれ両側に環状の耳部２２を設けて駆動紐２３を貫通させ、巻き軸１３の回動による巻き上げ力を遮光板２０の下端まで伝えることが好適である。耳部２２は横桿２１の両側で鉛直方向には各一列となるよう整列させることが好ましい。
【００１８】
すなわち、巻き軸１３が軸周りに回転すると、軸を同じくする巻きローラ１４も回転し、連結する２本の駆動紐２３を巻き上げる。巻き上げられた駆動紐２３は遮光板２０の下端を上昇させ、遮光板２０を折り畳みながら引き上げていく。このとき、耳部２２は二列に整列しているため、水平を保って軸回転する巻き軸１３は遮光板２０をまっすぐ引き上げることができる。
【００１９】
弾力装置３０は巻き軸１３と適当な位置で連接しこれに軸回転力を与えるための装置であり、その構成は特に限定されるものではない。図２に斜視図を、図３に分解図を示すように、ここではベベルギアの組み合わせを例示する。
【００２０】
外殻３１は上蓋３１ａと下箱３１ｂとで構成され、上蓋３１ａは平板３１１と基部３１２とからなる。基部３１２には水平方向に第一軸孔３１３を穿設してある。第一軸孔３１３には、第一ベベルギア３３の回転軸を嵌挿する。一方、平板３１１は鉛直方向に第二軸孔３１４を持つ。
【００２１】
下箱３１ｂは内部空間３１５を形成し、底部には第二軸孔３１４と中心軸を同じくする第三軸孔３１６を穿設する。第二軸孔３１４と第三軸孔３１６には第二ベベルギア３４の回転軸を嵌挿する。
【００２２】
ねじり弾性体３２は内部空間３１５に内設され、その端部は第二ベベルギア３４の回転軸と連接する。ねじり弾性体の種別は特に限定されないが、渦巻き発条またはねじりバネが好適に用いられる。
【００２３】
第一ベベルギア３３は軸部３３１と本体３３２とからなる。図４に断面図を示すように、第一軸孔３１３に嵌挿される軸部３３１には貫通孔３３３が設けられ、巻き軸１３を嵌挿する。孔３３３の形状は巻き軸１３の断面形状や寸法に対応するため、本実施の形態では六角孔となる。これにより、第一ベベルギア３３が回転すると巻き軸１３もこれと連動して回転し、逆に巻き軸１３が回転すると第一ベベルギア３３も回転する。
【００２４】
第二ベベルギア３４は軸部３４１と本体３４２とからなる。第二および第三軸孔３１４，３１６に嵌挿する軸部３４１にはねじり弾性体３２の内端末が連結し、ねじり弾性体３２の弾力によって回転する。一方、本体３４２は第一ベベルギア３３の本体３３２と掛合するため、ねじり弾性体３２の弾力は両ベベルギアを通じて巻き軸１３を回転させる。
【００２５】
図５は、本実施の形態にかかる遮光装置の動作説明図である。弾力装置３０に内設されるねじり弾性体には、遮光板２０を展開した状態で予め巻き軸１３の巻き取り方向に所定の回転力(以下、「プリロード」という。)を付勢しておく。ここでプリロードの最大値(遮光板２０展開時のプリロード)は、ベベルギア、巻き軸１３、巻きローラ１４の最大静止摩擦力の合計よりも大きく、かかる最大静止摩擦力の合計に遮光板２０や横桿２１の自重を加えたものよりも小さくする。これにより、展開した遮光板２０が自ずから巻き上がることはなく荷重がバランスして静止状態を保ち、また遮光板２０の自重を取り除いた際にはプリロードにより巻き軸１３が巻き取り方向に回転することとなる。
【００２６】
ここで使用者が遮光板２０の下端を太矢印の方向に押し上げると、横桿２１が順次押し上げられて遮光板２０は折り畳まれていく。このとき、駆動紐２３に緩みが生じると、上述したようにねじり弾性体３２のプリロードは即座にこれを吸収すべく巻き取り方向に回転する。
【００２７】
したがって遮光板２０等の自重はプリロードによって一部または全部がキャンセルされた状態にあるため、使用者は少ない荷重によって遮光板２０の下端を押し上げることができる。
【００２８】
使用者が静止状態で手を離すと、再び当初の荷重がバランスした状態に戻るため、途中または上端まで押し上げた状態で遮光板２０は静止しつづける。
【００２９】
また、ある程度以上の勢いをつけて遮光板２０の下端を押し上げることにより、その後手を離しても遮光板２０を一番上まで折り畳むことも可能である。ただしこの場合は、ベベルギア、巻き軸１３、巻きローラ１４の動摩擦力の合計に遮光板２０等の自重を加えた力に対し、遮光板２０収納時のプリロードがこれと同等以上である必要がある。
【００３０】
折り畳まれた遮光板２０を展開する場合は、遮光板２０の下端を把持してこれを下方に引き下げる。この場合は、少なくとも前記動摩擦力とプリロードの合計から遮光板２０等の自重を減じた大きさの荷重を加える必要がある。
【００３１】
以上により、従来用いられている引き紐を用いず、手で任意の高さまで遮光板を展開または折り畳みするだけでその位置を保持することのできる、本発明にかかる遮光装置を得ることができる。
【００３２】
図６は第二の実施の形態にかかる遮光装置である。本実施の形態では弾力装置３０を二式用い、遮光板２０の引き上げ力を増強している。これにあわせ、図示しないねじり弾性体３２の弾性係数を大きなものとする、または弾力装置３０の個数を更に増やすことにより、重い遮光板２０に対しても本発明を適用して使用者の僅かな力でこれを昇降させることができるようになる。
【産業上の利用可能性】
【００３３】
本発明にかかる遮光装置は引き紐を不要とし、僅かな力で遮光板を昇降させ、かつ任意の高さで開閉状態を保持することを可能とするものである。本発明については、使用者が希望する操作感が得られるよう、ねじり弾性体３２のプリロードを調整するダイヤル等を外部に設けたり、またはローマンシェード、プリーツスクリーン、横型ブラインドなどの遮光装置に限らずシャッターなどの異なる技術分野に対しても応用が可能である。
【図面の簡単な説明】
【００３４】
【図１】本発明の実施の形態にかかる遮光装置の斜視図
【図２】本発明の実施の形態にかかる弾力装置の斜視図
【図３】同分解図
【図４】同断面図
【図５】本発明の実施の形態にかかる遮光装置の動作説明図
【図６】本発明の第二の実施の形態にかかる遮光装置の斜視図
【符号の説明】
【００３５】
１０    上ケース
１１    上フレーム
１２    軸座
１３    巻き軸
１４    巻きローラ
２０    遮光板
２１    横桿
２２    耳部
２３    駆動紐
３０    弾力装置
３１    外殻
３１ａ  上蓋
３１ｂ  下箱
３２    ねじり弾性体
３３    第一ベベルギア
３４    第二ベベルギア
３１１  平板
３１２  基部
３１３  第一軸孔
３１４  第二軸孔
３１５  内部空間
３１６  第三軸孔
３３１、３４１  軸部
３３２、３４２  ベベルギア本体
３３３  孔
【図１】
2006198298.tif 000003
【図２】
2006198298.tif 000004
【図３】
2006198298.tif 000005
【図４】
2006198298.tif 000006
【図５】
2006198298.tif 000007
【図６】
2006198298.tif 000008